(57)【要約】【課題】  ディスク装置において、振動が特に顕著に現れるシャーシの局部に対して制振対策を講じることにより、ターンテーブルの回転などに起因するシャーシの振動を抑制して騒音の発生を抑える。【解決手段】  ターンテーブル駆動用のモータ４０と、光ピックアップ１２と、モータ及び光ピックアップが搭載された略矩形のシャーシ１０と、シャーシ１０が対角方向の２箇所のコーナ部で固定されているシャーシホルダー２０とを備える。シャーシホルダー２０に一体成形した立上りリブ６１の頂面でなる支持面６２と樹脂ばねでなる押さえ部材６３とを備えるシャーシ保持手段６０を有する。シャーシ保持手段６０によるシャーシ１０の保持箇所では、支持面６２と押さえ部材６３とが、モータ４０の直近のシャーシ１０の固定されていないコーナ部１０ｂを挟んでいる。【選択図】        図３
2008181604.tif 000002
【特許請求の範囲】
【請求項１】
回転軸にターンテーブルが固着されたモータと、上記ターンテーブルに載架されて回転駆動されるディスクの記録面を光学的に処理する光ピックアップと、上記モータ及び光ピックアップが搭載された略矩形のシャーシと、このシャーシがその対角方向の２箇所のコーナ部で固定されているシャーシホルダーと、を備えていると共に、周方向複数箇所にディスク載置スペースを備えたロータリートレイを回転させることによって、そのロータリートレイの複数の上記ディスク載置スペースに載置されたディスクを選択的に上記光ピックアップによる処理位置に臨ませる機能を備えたディスクチェンジャー型ディスク装置としてのディスク装置において、
上記シャーシの対角方向の２箇所のコーナ部がビス止めによって上記シャーシホルダーに固定されていると共に、樹脂成形体でなる上記シャーシホルダーに樹脂で一体成形された立上りリブの頂面でなる支持面と上記シャーシホルダーに一体成形された樹脂ばねでなる押さえ部材とを備えるシャーシ保持手段を追加し、
このシャーシ保持手段による上記シャーシの保持箇所では、上記支持面と上記押さえ部材とが、上記モータの直近に位置する上記シャーシの固定されていないコーナ部を挟んでいると共に、その支持面が上記２箇所のコーナ部でビス止めされた上記シャーシの固定されていないコーナ部が無負荷状態で当接する高さ位置に設けられ、
上記樹脂ばねは、基部が上記シャーシホルダーに一体化されている片持ち状態の突出片の先端面を上記シャーシに弾接させてなることを特徴とするディスク装置。
【請求項２】
回転軸にターンテーブルが固着されたモータと、上記ターンテーブルに載架されて回転駆動されるディスクの記録面を光学的に処理する光ピックアップと、上記モータ及び光ピックアップが搭載された略矩形のシャーシと、このシャーシがその対角方向の２箇所のコーナ部で固定されているシャーシホルダーと、を備えるディスク装置において、
上記モータの直近に位置する上記シャーシの固定されていないコーナ部が、上記シャーシホルダーに設けられた支持面と上記シャーシホルダーに設けられて上記シャーシを上記支持面に弾性的に押し付ける押さえ部材とを備えるシャーシ保持手段によって挟まれていることを特徴とするディスク装置。
【請求項３】
上記シャーシの対角方向の２箇所のコーナ部がビス止めによって上記シャーシホルダーに固定されていると共に、上記シャーシ保持手段の支持面は、上記２箇所のコーナ部でビス止めされた上記シャーシの固定されていないコーナ部が無負荷状態で当接する高さ位置に設けられている請求項２に記載したディスク装置。
【請求項４】
上記支持面が、樹脂成形体でなる上記シャーシホルダーに樹脂で一体成形された立上りリブの頂面でなり、上記押さえ部材が上記シャーシホルダーに一体成形された樹脂ばねでなる請求項３に記載したディスク装置。
【請求項５】
上記樹脂ばねは、基部が上記シャーシホルダーに一体化されている片持ち状態の突出片の先端面を上記シャーシに当接させてなる請求項４に記載したディスク装置。
【発明の詳細な説明】
【技術分野】
【０００１】
本発明は、ディスク装置、特に、ターンテーブルを回転させるためのモータなどが搭載されているシャーシの振動を抑制して騒音の発生を軽減するための対策を講じたディスク装置に関する。
【背景技術】
【０００２】
図５にこの種のディスク装置の従来例を概略平面図で示し、図６に同従来例を概略側面図で説明的に示してある。
【０００３】
図５のディスク装置では、ターンテーブル１１や光ピックアップ１２などを搭載している略矩形のシャーシ（メカシャーシと称されることもある）１０がシャーシホルダー（メカホルダーと称されることもある）２０に取り付けられていて、シャーシホルダー２０の一端部が外枠フレームの軸受部３０によって支持されている。そして、シャーシホルダー２０が軸受部３０の支持箇所を支点として一方向に揺動することにより、図示していないディスクがターンテーブル１１に受け取られる。また、ターンテーブル１１に受け取られたディスクの回転中に光ピックアップ１２が矢印Ｒ方向に移動してそのディスクの記録面を光学的に処理してデータ書込みやデータ読取りがなされるようになっている。
【０００４】
このようなディスク装置において、ターンテーブル１１は、シャーシ１０に設置したモータ４０（図６参照）の回転軸に固着されている。また、シャーシ１０を板金製としたものでは、その対角方向の２箇所のコーナ部１０ａ，１０ｃが取付けビス１３を用いてシャーシホルダー２０に固定されている。
【０００５】
ここで、シャーシ１０の対角方向の２箇所のコーナ部１０ａ，１０ｃだけをシャーシホルダー２０にビス止めしているのは、シャーシ１０を板金製とした場合には、その４つのコーナ部１０ａ〜１０ｄの全部をビス止めしたり、４つのコーナ部１０ａ〜１０ｄのうちの３つをビス止めしたりすると、ビス止めによってシャーシ１０が押し付けられるシャーシホルダー２０側の取付座（不図示）のレベル誤差（高さ位置の誤差）などによって、シャーシ１０に歪みが生じたりしてターンテーブル１１の回転軸線の位置精度や光ピックアップの光軸方向の精度が低下するおそれがあることによるとされている。
【０００６】
しかしながら、図示例のように、シャーシ１０の対角方向の２箇所のコーナ部１０ａ，１０ｃだけをシャーシホルダー２０にビス止めしただけでは、再生モードでのターンテーブル１１の回転などに起因してシャーシ１０が振動しやすく、その振動によって騒音が発生しやすくなるという問題が知見された。特に、ターンテーブル駆動用のモータ４０はその重量が大きいために、振動はモータ４０の直近に位置するシャーシ１０の固定されていないコーナ部１０ｂにおいて最も顕著に現れることが知見された。
【０００７】
この問題は、図６のように、シャーシ１０の端部に折曲げリブ１４を具備させてその剛性を高めることによっても十分には解消されないことが判っている。そこで、従来は、ゴム材などのダンパーを追加することによって振動を抑制するようにしていたけれども、そのようにすると、ダンパーが余分に必要になって部品点数が増大し、それに見合って組立工程が複雑になってコスト高になるという問題があった。なお、図６において、２１はシャーシホルダー２０に備わっているボスであり、このボス２１の頂面が上記取付座を形成している。なお、図６では取付座に符号２２を付してある。
【０００８】
一方、従来よりディスク装置での振動防止のための対策は種々提案されている（たとえば、特許文献１、特許文献２参照）。これらのうち、特許文献１には、上記したシャーシホルダー２０に相当する部材であるトラバースアッシィを制振するための対策についての記載がある。また、特許文献２には、上記したシャーシ１０に相当する部材であるメカシャーシに幅方向の挟持力を作用させることによってそのメカシャーシを制振することについての記述がある。
【特許文献１】特開２００６−２４３１９号公報
【特許文献２】特開２００４−２２７７０８公報（図２、００２１）
【発明の開示】
【発明が解決しようとする課題】
【０００９】
しかしながら、特許文献２に記載されている技術を適用して図５及び図６に示したシャーシ１０を制振するためには、同文献２に記載があるように、シャーシの幅方向両側にＬ字状に折れ曲がったハリ部材を設けたり、それらのハリ部材を押し付けて挟むストッパ部材をシャーシを挟む両側でシャーシホルダー２０に設けたりすることが必要になるために、シャーシホルダー２０が幅広になって大形化したり部品点数が増えたりすることを避けることができないという問題が生じる。
【００１０】
本発明は以上の状況や問題に鑑みてなされたものであり、振動が特に顕著に現れるシャーシの局部に対してだけ制振対策を講じるだけで、ターンテーブルの回転などに起因するシャーシの振動を抑制して騒音の発生を抑えることのできるディスク装置を提供することを目的とする。
【００１１】
また、本発明は、シャーシホルダーの大形化や必要部品点数の増加を来すことなく、シャーシの振動を抑制して騒音の発生を抑えることのできるディスク装置を提供することを目的とする。
【課題を解決するための手段】
【００１２】
本発明に係るディスク装置は、回転軸にターンテーブルが固着されたモータと、上記ターンテーブルに載架されて回転駆動されるディスクの記録面を光学的に処理する光ピックアップと、上記モータ及び光ピックアップが搭載された略矩形のシャーシと、このシャーシがその対角方向の２箇所のコーナ部で固定されているシャーシホルダーと、を備えるディスク装置において、上記モータの直近に位置する上記シャーシの固定されていないコーナ部が、上記シャーシホルダーに設けられた支持面と上記シャーシホルダーに設けられて上記シャーシを上記支持面に弾性的に押し付ける押さえ部材とを備えるシャーシ保持手段によって挟まれている。
【００１３】
この構成を採用したディスク装置において、シャーシ保持手段による挟み付け箇所では、シャーシの振動に伴う固定されていないコーナ部が制振されてターンテーブルの回転などに起因するシャーシの軽微な振動が抑制され、また、シャーシに加わる顕著な振動も押さえ部材の弾性変形を通じて抑制されるようになって騒音の発生が抑えられる。
【００１４】
本発明では、上記シャーシの対角方向の２箇所のコーナ部がビス止めによって上記シャーシホルダーに固定されていると共に、上記シャーシ保持手段の支持面は、上記２箇所のコーナ部でビス止めされた上記シャーシの固定されていないコーナ部が無負荷状態で当接する高さ位置に設けられていることが望ましい。これによれば、シャーシを板金製とした場合に、対角方向の２箇所でビス止めされたシャーシの固定されていないコーナ部が支持面に無負荷状態で当接することになるので、そのシャーシに歪みが生じない。そのため、シャーシが無理なく制振されて騒音の発生が効率よく抑えられる。
【００１５】
本発明では、上記支持面が、樹脂成形体でなる上記シャーシホルダーに樹脂で一体成形された立上りリブの頂面でなり、上記押さえ部材が上記シャーシホルダーに一体成形された樹脂ばねでなることが望ましい。これによれば、支持面を形成する立上りリブや押さえ部材を形成する樹脂ばねがシャーシホルダーに一体化されているために、シャーシ保持手段を構成するために別部品を用いる必要がなくなり、シャーシホルダーの大形化や必要部品点数の増加をきたさないという利点がある。
【００１６】
本発明において、上記樹脂ばねは、基部が上記シャーシホルダーに一体化されている片持ち状態の突出片の先端面を上記シャーシに当接させてなる、という構成を採用することが可能である。この構成を採用すると、突出片の長さや太さを増減することにより押さえ部材としての樹脂ばねの弾性が増減調節されるため、シャーシ保持手段によるシャーシ制振作用を良好に発揮させることが容易に可能になる。
【００１７】
本発明に係るディスク装置は、回転軸にターンテーブルが固着されたモータと、上記ターンテーブルに載架されて回転駆動されるディスクの記録面を光学的に処理する光ピックアップと、上記モータ及び光ピックアップが搭載された略矩形のシャーシと、このシャーシがその対角方向の２箇所のコーナ部で固定されているシャーシホルダーと、を備えていると共に、周方向複数箇所にディスク載置スペースを備えたロータリートレイを回転させることによって、そのロータリートレイの複数の上記ディスク載置スペースに載置されたディスクを選択的に上記光ピックアップによる処理位置に臨ませる機能を備えたディスクチェンジャー型ディスク装置としてのディスク装置において、上記シャーシの対角方向の２箇所のコーナ部がビス止めによって上記シャーシホルダーに固定されていると共に、樹脂成形体でなる上記シャーシホルダーに樹脂で一体成形された立上りリブの頂面でなる支持面と上記シャーシホルダーに一体成形された樹脂ばねでなる押さえ部材とを備えるシャーシ保持手段を追加し、このシャーシ保持手段による上記シャーシの保持箇所では、上記支持面と上記押さえ部材とが、上記モータの直近に位置する上記シャーシの固定されていないコーナ部を挟んでいると共に、その支持面が上記２箇所のコーナ部でビス止めされた上記シャーシの固定されていないコーナ部が無負荷状態で当接する高さ位置に設けられ、上記樹脂ばねは、基部が上記シャーシホルダーに一体化されている片持ち状態の突出片の先端面を上記シャーシに弾接させてなる、という構成を採用することによって具体化される。
【発明の効果】
【００１８】
以上のように、本発明によれば、振動が特に顕著に現れるシャーシの局部に対してだけ制振対策を講じるだけで、ターンテーブルの回転などに起因するシャーシの振動が抑制されて騒音の発生が抑えられる。そのため、ユーザにとっては騒音による不快感を感じることなく画像の再生や記録を行うことができるようになるという利点がある。また、シャーシホルダーの大形化や必要部品点数の増加を伴わない構成を採用することが可能であり、そうすることによってディスク装置を安価に提供することが可能になるという効果も奏される。
【発明を実施するための最良の形態】
【００１９】
図１は本発明が適用されたディスクチェンジャー型のディスク装置の動作を説明するための概略平面図、図２は上記ディスクチェンジャー型のディスク装置についての再生／記録モードでの動作を説明するための概略平面図、図３は本発明に係るディスク装置の要部を示した概略平面図、図４は同要部を示した概略側面図である。
【００２０】
図１のように、ディスクチェンジャー型のディスク装置では、等角度おきの周方向複数箇所（図例では５箇所）にディスク載置スペースＳを備えたロータリトレイ５１がスライドトレイ５２に回転可能に搭載されていて、このスライドトレイ５２が外枠フレーム５０に矢印Ｆで示した方向に出退可能に取りつけられている。また、図２のように、外枠フレーム５０に備わっている軸受部３０に、図５を参照して説明したものと同様の基本構成を備えたシャーシホルダー２０が支持されていて、その軸受部３０の支持箇所を支点としてシャーシホルダー２０が揺動することができるようになっている。そして、このシャーシホルダー２０には、図５を参照して説明したところと同様に、ターンテーブル１１や光ピックアップ１２などを搭載している略矩形のシャーシ１０が搭載されている。
【００２１】
以上説明したようなディスクチェンジャー型のディスク装置では、図１のように外枠フレーム５０からスライドトレイ５２が引き出されているときに、ロータリートレイ５１のディスク載置スペースＳに対するディスクの補充や取出しが行われる。また、スライドトレイ５２が外枠フレーム５０の中に引き込まれる動作を通じてディスクがローディングされたときには、図２に示したようにロータリートレイ５１に備わっている特定の１つのディスク載置スペースＳがターンテーブル１１の上方に位置するようになっている。そして、たとえば再生モードが選択されると、シャーシホルダー２０が軸受部３０の支持箇所を支点として一方向に揺動し、特定のディスク載置スペースＳに載置されているディスクがターンテーブル１１に受け取られて回転駆動される。こうしてターンテーブル１１に受け取られたディスクの回転中に光ピックアップ１２が矢印Ｒ方向に移動してそのディスクの記録面を光学的に処理し、データ書込みやデータ読取りがなされる。なお、他のディスク載置スペースＳに載置されているディスクは、ロータリトレイ５１が所定のタイミングで回転することによって、選択的に光ピックアップ１２による処理位置に臨まされてその光学的処理が行われる。
【００２２】
図４のように、ターンテーブル１１は、シャーシ１０に設置したモータ（スピンドルモータ）４０の回転軸４１に固着されている。また、図３及び図４を併せ見ることによって判るように、シャーシ１０は略矩形であって、その対角方向の２箇所のコーナ部１０ａ，１０ｃが取付けビス１３を用いてシャーシホルダー２０に固定されている。ここで、シャーシ１０の対角方向の２箇所のコーナ部１０ａ，１０ｃだけをシャーシホルダー２０にビス止めしているのは、シャーシ１０が板金製であり、その４つのコーナ部１０ａ〜１０ｄの全部をビス止めしたり、４つのコーナ部１０ａ〜１０ｄのうちの３つをビス止めしたりすると、ビス止めによってシャーシ１０が押し付けられるシャーシホルダー２０側の取付座２２のレベル誤差（高さ位置の誤差）などによって、シャーシ１０に歪みが生じたりしてターンテーブル１１の回転軸線の位置精度や光ピックアップの光軸方向の精度が低下するおそれがあることによる。
【００２３】
このディスク装置において、ディスクが載架されたターンテーブル１１がモータ４０によって回転駆動されると、それに伴ってシャーシ１０が振動する。このときの振動は、重量の大きなモータ４０の直近に位置するシャーシ１０の固定されていないコーナ部１０ｂにおいて最も顕著に現れる。
【００２４】
そこで、この実施形態では、図４のようにシャーシ１０の端部に折曲げリブ１４を具備させてその剛性を高めてあることに加えてシャーシ保持手段６０を追加し、そのシャーシ保持手段６０によって、モータ４０の直近に位置するシャーシ１０の固定されていないコーナ部１０ｂを挟ませている。
【００２５】
図３又は図４のように、図例のディスク装置では、シャーシ保持手段６０を、樹脂成形体でなるシャーシホルダー２０に樹脂で一体成形された立上りリブ６１の頂面でなる支持面６２と、シャーシホルダー２０に一体成形された樹脂ばねでなる押さえ部材６３とによって構成してある。そして、押さえ部材６３としての上記樹脂ばねを、基部がシャーシホルダー２０に支持体６４を介して一体化されている片持ち状態の突出片によって形成してある。また、シャーシ保持手段６０によるシャーシ１０の保持箇所では、突出片でなる押さえ部材６３の先端面と上記支持面６２とによって挟んである。しかも、支持面６２は、立上りリブ６１の高さ寸法を調節することによって、上記２箇所のコーナ部１０ａ，１０ｃでビス止めされているシャーシ１０の固定されていないコーナ部１０ｂが無負荷状態で当接する高さ位置に設けられている。
【００２６】
ディスク装置に上記した構成のシャーシ保持手段６０を追加しておくと、シャーシ１０が振動していない常態（自然状態）では、支持面６２に無負荷状態で載架されているシャーシ１０の固定されていないコーナ部１０ｂに押さえ部材６３の先端面が当接している。このときの状態は、支持面６２や押さえ部材６３が無負荷状態でシャーシ１０に当接していることが理想であるけれども、押さえ部材６３がシャーシ１０を支持面６２に弾圧している状態であってもよい。
【００２７】
このディスク装置では、モータ４０によってターンテーブル１１が回転駆動されると、それに伴ってシャーシ１０を振動させる力が発生するけれども、そのシャーシ１０の振動が最も顕著に現れるコーナ部１０ｂがシャーシ保持手段６０によって挟まれているので、シャーシ１０の全体が制振されて騒音の発生が抑制される。この場合において、シャーシ保持手段６０による挟み付け箇所では、シャーシ１０の固定されていないコーナ部１０ｂを振動させる力が軽微であるときには、押さえ部材６３が弾性変形することなく制振作用を発揮するのに対し、その押さえ部材６３の弾性に抗してシャーシ１０のコーナ部１０ｂを支持面６２から浮き上がらせる程度の大きな力がシャーシ１０に加わったときには、押さえ部材６３が弾性変形して支持面６２からのシャーシ１０のコーナ部１０ｂの変位動作を抑制してその変位幅を小さく収めてしまう。その結果、シャーシ１０に加わる顕著な振動も押さえ部材６３の弾性変形を通じて抑制されるようになって騒音の発生が効率よく抑えられる。
【００２８】
この実施形態では、シャーシ保持部材６０の支持面６２と押さえ部材６３とを、共にシャーシホルダー２０に樹脂で一体成形した立上りリブ６１の頂面や突出片でなる樹脂ばねによって構成してあるので、シャーシ保持部材６０を構成するために特別な部品を追加する必要がない。そのため、部品点数の増加による組立工程の煩雑化やコスト高を来す余地がない。また、この実施形態は、図５又は図６を参照して説明した従来のディスク装置に、シャーシ保持部材６０を追加するだけで構成することができるという利点がある。
【００２９】
本発明に係るディスク装置には、上記した実施形態に係るディスクチェンジャー型のディスク装置が含まれることは勿論、１枚のディスクだけをローディングするタイプのディスク装置も含まれる。
【図面の簡単な説明】
【００３０】
【図１】本発明の実施形態であるディスクチェンジャー型ディスク装置の動作を説明するための概略平面図である。
【図２】ディスクチェンジャー型ディスク装置についての再生／記録モードでの動作を説明するための概略平面図である。
【図３】本発明に係るディスク装置の要部を示した概略平面図である。
【図４】同要部を示した概略側面図である。
【図５】従来例の概略平面図である。
【図６】従来例の概略側面図である。
【符号の説明】
【００３１】
１０  シャーシ
１０ａ，１０ｃ  固定されている２箇所のコーナ部
１０ｂ  モータの直近に位置するシャーシの固定されていないコーナ部
１１  ターンテーブル
１２  光ピックアップ
２０  シャーシホルダー
４０  モータ
４１  回転軸
５１  ロータリートレイ
６０  シャーシ保持手段
６１  立上りリブ
６２  支持面
６３  押さえ部材
Ｓ  ディスク載置スペース
【図１】
2008181604.tif 000003
【図２】
2008181604.tif 000004
【図３】
2008181604.tif 000005
【図４】
2008181604.tif 000006
【図５】
2008181604.tif 000007
【図６】
2008181604.tif 000008